(57)【要約】【課題】この発明はマットレスの支持高さを変えるために側板の高さ寸法を変えても、ヘッドボードを兼用できるようにしたベッド装置を提供することにある。【解決手段】ベッド本体１５は、ヘッドボード２と、ヘッドボードの幅方向両端に長手方向一端が連結された一対の側板１６と、側板の長手方向他端に幅方向両端が連結されたフットボード４とを具備し、ヘッドボードとフットボードとの幅方向両端にはそれぞれナット１１が設けられ、側板の長手方向両端部には連結金具８が設けられていて、側板の長手方向一端と他端へのヘッドボードとフットボードの連結は、側板の高さ寸法に応じて連結金具をナットに第１のおねじによって直接連結する第１の形態と、ナットにブラケット１８の一辺を第２のおねじ２５によって連結し、ブラケットの他辺に連結金具を第３のおねじ２６によって連結する第２の形態のいずれかによって行なわれる。【選択図】      図７
2006334156.tif 000002
【特許請求の範囲】
【請求項１】
マットレスが載置されるベッド本体を有するベッド装置であって、
上記ベッド本体は、ヘッドボードと、このヘッドボードの幅方向両端に長手方向一端が連結された一対の側板と、この側板の長手方向他端に幅方向両端が連結されたフットボードとを具備し、
上記ヘッドボードとフットボードとの幅方向両端にはそれぞれナットが設けられ、上記側板の長手方向両端部には連結金具が設けられていて、
上記側板の長手方向一端と他端への上記ヘッドボードとフットボードの連結は、上記側板の高さ寸法に応じて上記連結金具を上記ナットに第１のおねじによって直接連結する第１の形態と、上記ナットにブラケットの一辺を第２のおねじによって連結し、このブラケットの他辺に上記連結金具を第３のおねじによって連結する第２の形態のいずれかによって行なわれることを特徴とするベッド装置。
【請求項２】
上記ブラケットの一辺には上記ヘッドボード及びフットボードに設けられた上記ナットにねじ込まれる上記第１のおねじを通す複数の取付け孔が異なる高さ位置に設けられていることを特徴とする請求項１記載のベッド装置。
【請求項３】
ヘッドボードを備えたベッド装置であって、
四隅部に脚部材が設けられ上面にマットレスが載置される載置体と、
この載置体の長手方向一端に位置する一対の脚部材に一辺が連結される断面形状がＬ字状の第１のブラケットと、
上記ヘッドボードの幅方向両端に一辺が連結され他辺が上記第１のブラケットの他辺に連結される断面形状がＬ字状の第２のブラケットを具備し、
上記第２のブラケットには上記ヘッドボードとの連結高さの調整可能な複数の取付け孔が異なる高さ位置に設けられていることを特徴とするベッド装置。
【発明の詳細な説明】
【技術分野】
【０００１】
この発明はマットレスの厚さ寸法に応じてその支持高さを変えるようにしたベッド装置に関する。
【背景技術】
【０００２】
一般にベッド装置はベッド本体を有する。このベッド本体はヘッドボードと、このヘッドボードの幅方向両端に長手方向一端が連結された一対の側板と、この側板の長手方向の他端に幅方向の両端が連結されたフットボードとによって構成されている。  
一対の側板の内面には受け桟が設けられ、これら受け桟には床板が幅方向両端を係合させて架設される。そして、この床板上にマットレスが載置される。
【０００３】
通常、上記マットレスは厚さ寸法が約２００ｍｍ程度であるが、最近では寝心地の向上を図るために低反発ウレタンフォームを入れたマットレスが使用されることがあり、そのようなマットレスは厚さ寸法が３００ｍｍ程度になることがある。
【発明の開示】
【発明が解決しようとする課題】
【０００４】
上記床板上に載置されるマットレスの厚さ寸法が変化すると、このマットレスの上面から突出するヘッドボードの高さ（高さ方向の面積）が変化してくる。マットレスの上面から突出するヘッドボードの高さ寸法はベッド装置の全体的なデザインを考慮して決定されている。
【０００５】
そのため、マットレスの厚さ寸法の変化によってその上面から突出するヘッドボードの高さ寸法が変化すると、ベッド装置全体の外観が損なわれるということがある。しかも、マットレスの厚さ寸法が大きい場合には床面（フロアー面）からマットレスの上面までの高さが高くなるから、利用者がマットレスに乗り降りし難くなるなどのことが生じる。
【０００６】
マットレスの厚さ寸法の変化に応じてその上面の高さ位置を変える場合、側板を異なる高さ寸法のものに交換し、床板の支持高さを変えることで対応することができる。すなわち、マットレスの厚さ寸法が厚くなった場合には高さ寸法の小さい側板を用いる。
【０００７】
それによって、側板に支持される床板の高さを低くすることができるから、この床板上に載置されるマットレスの上面の高さを、厚さ寸法が小さいマットレスの場合と同じにすることができる。
【０００８】
ところで、側板とヘッドボード及びフットボードとの連結は、側板の長手方向両端部に一辺を連結固定して設けられたＬ字状の連結金具の他辺を、各ボードの幅方向両端に設けられたナットにねじ込まれるおねじによって連結するということが行なわれている。
【０００９】
各ボードの幅方向両端部に設けられるナットの高さ位置は一定である。そのため、たとえば厚さ寸法の大きなマットレスを使用するため、高さ寸法の小さな側板に交換してマットレスの支持高さを低くしようとしても、各ボードに設けられたナットの位置が一定であるから、側板の両端部に設けられた連結金具を上記ナットにねじ込まれるねじによって連結しても、上記側板の取付け位置を低くすることができない。
【００１０】
つまり、各ボードに予め設定された高さ寸法とは異なる高さ寸法の側板を連結しようとしても、ナットが設けられた高さ位置が一定であるから、その側板を各ボードに対して異なる高さ位置となるよう連結することができない。
【００１１】
したがって、厚さ寸法の大きなマットレスを使用するための高さ寸法の小さな側板を用いる場合には、側板だけでなく、ボードも異なる高さ位置にナットが設けられたものに交換しなければならないということが生じる。
【００１２】
この発明は、マットレスの厚さ寸法が変化した場合、側板だけの交換によって対応することができるようにしたベッド装置を提供することにある。
【課題を解決するための手段】
【００１３】
この発明は、マットレスが載置されるベッド本体を有するベッド装置であって、
上記ベッド本体は、ヘッドボードと、このヘッドボードの幅方向両端に長手方向一端が連結された一対の側板と、この側板の長手方向他端に幅方向両端が連結されたフットボードとを具備し、
上記ヘッドボードとフットボードとの幅方向両端にはそれぞれナットが設けられ、上記側板の長手方向両端部には連結金具が設けられていて、
上記側板の長手方向一端と他端への上記ヘッドボードとフットボードの連結は、上記側板の高さ寸法に応じて上記連結金具を上記ナットに第１のおねじによって直接連結する第１の形態と、上記ナットにブラケットの一辺を第２のおねじによって連結し、このブラケットの他辺に上記連結金具を第３のおねじによって連結する第２の形態のいずれかによって行なわれることを特徴とするベッド装置にある。
【００１４】
上記ブラケットの一辺には上記ヘッドボード及びフットボードに設けられた上記ナットにねじ込まれる上記第１のおねじを通す複数の取付け孔が異なる高さ位置に設けられていることが好ましい。
【００１５】
この発明は、ヘッドボードを備えたベッド装置であって、
四隅部に脚部材が設けられ上面にマットレスが載置される載置体と、
この載置体の長手方向一端に位置する一対の脚部材に一辺が連結される平面形状がＬ字状の第１のブラケットと、
上記ヘッドボードの幅方向両端に一辺が連結され他辺が上記第１のブラケットの他辺に連結される平面形状がＬ字状の第２のブラケットを具備し、
上記第２のブラケットには上記ヘッドボードとの連結高さの調整可能な複数の取付け孔が異なる高さ位置に設けられていることを特徴とするベッド装置にある。
【発明の効果】
【００１６】
請求項１の発明によれば、側板の高さ寸法に応じて側板の端部に設けられる連結金具とヘッドボード及びフットボードの間にブラケットを介在させるため、異なる高さ寸法の側板であっても、各ボードに高さ位置を変えて連結することが可能となる。
【００１７】
請求項２の発明によれば、載置体とヘッドボードとの連結を第１、第２のブラケットを介して行なうとともに、第２のブラケットにはヘッドボードとの取付け高さの調整可能な複数の取付け部を設けたから、マットレスの厚さ寸法に応じて異なる高さの載置体を用いる場合であっても、その載置体に第１、第２のブラケットを介してヘッドボードを連結することが可能となる。
【発明を実施するための最良の形態】
【００１８】
以下、この発明の実施の形態を図面を参照して説明する。
【００１９】
図１乃至図９はこの発明の第１の実施の形態を示す。図１に示す第１のベッド装置Ｂ１はベッド本体１を備えている。このベッド本体１はヘッドボード２を有する。このヘッドボード２の幅方向両端部には一対の第１の側板３（一方のみ図示）の長手方向一端が後述するように着脱可能に連結固定される。一対の第１の側板３の長手方向他端にはフットボード４が後述するように着脱可能に連結固定される。
【００２０】
一対の第１の側板３の内面には受け桟５が長手方向に沿って設けられていて、これら受け桟５には長手方向中途部で２つに分割された床板６が架設されている。この床板６の上面には図１に実線で示す第１のマットレスＭ１が載置される。この第１のマットレスＭ１は高さ寸法が約２００ｍｍの通常の厚さ寸法のものであって、同図に鎖線で示す厚さ寸法が約３００ｍｍの第２のマットレスＭ２に比べて厚さ寸法が小さくなっている。
【００２１】
上記第１の側板３の長手方向両端部の上端部には、高さ寸法がこの側板３の高さ寸法の約半分で、平面形状がＬ字状の連結金具８の一辺が取付け固定されている。図４（ｂ）に示すように、連結金具８の他辺には側方及び下方に向かって開放した一対の鉤部９が形成されている。
【００２２】
一方、ヘッドボード２及びフットボード４の幅方向両端部の内面には、図２と図３に示すようにそれぞれ一端をその内面に露出させた一対のナット１１が上下方向に所定間隔でインサートされている。
【００２３】
図２に示すように、各ナット１１には第１のおねじ１２が螺合される。これら第1のおねじ１２に上記連結金具８の鉤部９を係合させた後、その第1のおねじ１２を締め込むことで、第1の側板３の一端にヘッドボード２、他端にフットボード４が連結固定される。
【００２４】
上記第1の側板３は、床板６に載置される第１のマットレスＭ１を所定の高さで支持する高さ寸法に設定されている。すなわち、床板６上に第１のマットレスＭ１を載置すると、その上面から突出するヘッドボード２の高さ寸法は図１にＨで示す寸法になるよう、上記第１の側板３の高さ寸法、つまり床板６の支持高さが設定されている。
【００２５】
図５は第１のマットレスＭ１よりも厚さ寸法の大きな第２のマットレスＭ２を使用した第２のベッド装置Ｂ２を示す。第２のベッド装置Ｂ２のベッド本体２１は、第１のベッド装置Ｂ１のベッド本体１と側板の高さ寸法が異なる。
【００２６】
すなわち、第２のベッド装置Ｂ２のベッド本体１５は、第１のベッド装置Ｂ１の第１の側板３よりも高さ寸法が小さい第２の側板１６が用いられている。この第２の側板１６の長手方向両端部には、第１の側板３に設けられたものと同じ大きさの連結金具８の一辺が取付け固定されている。
【００２７】
図８に示すように、第２の側板１６の高さ寸法は連結金具８の高さ寸法とほぼ同じになっている。つまり、第２の側板１６の高さ寸法は、連結金具８の高さ寸法よりも高さ寸法が大きな第１の側板３の約半分の高さ寸法となっている。
【００２８】
第２の側板１６の長手方向両端部に設けられた連結金具８の他辺はブラケット１８を介してヘッドボード２及びフットボード４に連結固定される。上記ブラケット１８は、図９（ａ）〜（ｃ）に示すように中間辺１９ａを介して平行に離間対向する第１の側辺１９ｂと第２の側辺１９ｃとを有する、断面形状がコ字状をなしている。第２の側辺１９ｃは第１の側辺１９ｂの半分の高さ寸法となっていて、第１の側辺１９ｂの上下方向の下半分に対向している。
【００２９】
上記第１の側辺１９ｂには２つで対をなす第１の取付け孔２１ａ及び第２の取付け孔２１ｂが上下方向に所定間隔で形成されている。各一対の第１、第２の取付け孔２１ａ,２１ｂの上下方向の間隔は各ボード２,４の幅方向両端部に設けられた一対のナット１１の間隔と同じに設定されている。
【００３０】
第２の側辺１９ｃの内面には一対のナット２２が上下方向に所定間隔で設けられている。一対のナット２２の間隔は、上記各ボード２,４の幅方向両端部に上下方向に所定間隔で設けられた一対のナット１１と同じ間隔となっている。なお、第２の側辺１９ｃの中途部には一対の第２の取付け孔２１ｂの一方を露出させる切り欠き２３が形成されている。
【００３１】
図６と図７に示すように上記ブラケット１８は、第１の側辺１９ｂに形成された一対の第１の取付け孔２１ａに第２のおねじ２５を通し、これらおねじを各ボード２,４の幅方向両端部に設けられた一対のナット１１にねじ込む。
【００３２】
それによって、ブラケット１８は各ボード２,４の幅方向両端部に取付け固定される。なお、各ボード２,４の幅方向一端と他端に取付けられるブラケット１８は対称な形状となっている。それによって、一対のブラケット１８は開放した一側を各ボード２,４の幅方向内方に向けて取り付けられる。
【００３３】
上記ブラケット１８の第２の側辺１９ｃに設けられた一対のナット２２には第３のねじ２６がねじ込まれる。一対の第３のおねじ２６には第２の側板１６の長手方向両端部に設けられた連結金具８の一対の鉤部９が係合される。第３のおねじ２６に鉤部９を係合させたならば、この第３のおねじ２６をねじ込む。
【００３４】
それによって、ブラケット１８の第２の側辺１９ｃに上記第２の側板１６が連結固定される。つまり、第２の側板１６の長手方向一端にヘッドボード２、他端にフットボード４が連結されたベッド本体１５が構成される。
【００３５】
第２の側板１６の内面には受け桟５が設けられ、一対の受け桟５には床板６が幅方向両端部を係合させて支持される。この床板６の上面には上記第２のマットレスＭ２が載置される。
【００３６】
このように、第１のベッド装置Ｂ１の第１のマットレスＭ１よりも、厚さ寸法の大きな第２のマットレスＭ２を用いる場合、第１のベッド装置Ｂ１の第１の側板３よりも高さ寸法の小さな第２の側板１６を用いるようにした。
【００３７】
第２の側板１６を用いることで、第２のマットレスＭ２の支持高さを低くし、その上面の高さを、第１のベッド装置Ｂ１に用いられた第１のマットレスＭ１の上面の高さとほぼ同じにすることができる。
【００３８】
それによって、第２のマットレスＭ２の上面から突出するヘッドボード２の寸法を、図５に示すように第１のベッド装置Ｂ１の第１のマットレスＭ１の上面から突出するヘッドボード２の寸法Ｈとほぼ同じ高さ寸法Ｈとすることができるから、第２のベッド装置Ｂ２のヘッドボード４の外観が第１のベッド装置Ｂ１のヘッドボード４の外観と変わることがない。つまり、厚さ寸法の大きな第２のマットレスＭ２を用いても、ヘッドボード４の露出度合が一定に維持できるため、外観を損なうことがない。
【００３９】
しかも、厚さ寸法の大きな第２のマットレスＭ２を用いても、そのマットレスＭ２の上面の床面からの高さ寸法が第１のベッド装置Ｂ１の第１のマットレスＭ１の場合とほとんど変わることがないため、利用者が第２のマットレスＭ２に乗り降りし難くなるということもない。
【００４０】
第２のベッド装置Ｂ２の第２の側板１６は、第１のベッド装置Ｂ１の第１の側板３と高さ寸法が異なる。そのため、各ボード２，４に対する連結高さも異なることになる。つまり、各ボード２,４の幅方向両端部に設けられたナット１１に連結金具８を直接、連結したのでは、第１の側板３よりも高さ寸法が小さい第２の側板１６を、各ボード２，４に対して第１の側板３よりも低い位置に連結することができなくなる。つまり、第２の側板１６は第１のベッドＢ１の第１の側板３と同じ高さで連結されることになる。
【００４１】
そこで、第２のベッド装置Ｂ２の第２の側板１６を、ヘッドボード２及びフットボード４に連結する際、これらの間にブラケット１８を介在させるようにした。つまり、第２の側板１６を使用するときには、各ボード２，４の幅方向両端部に設けられたナット１１に、上記ブラケット１８の第１の側辺１９ｂに設けられた一対の第１の取付け孔２１ａに第２のおねじ２５を挿通し、その第２のおねじ２５を各ボード２，４の幅方向両端部に設けられたナット１１にねじ込むようにした。
【００４２】
それによって、図７に示すように上記ブラケット１８の連結金具８が連結される第２の側辺１９ｃに設けられた一対のナット２２を、各ボード２，４に設けられたナット１１よりも低い位置にすることができるから、上記ナット２２に第３のおねじ２６によって連結される第２の側板１６の高さを、第１の側板３に比べて高さ寸法が小さくなった分だけ低い位置にすることができる。
【００４３】
つまり、第１のマットレスＭ１よりも厚さ寸法の大きな第２のマットレスＭ２を使用する第２のベッド装置Ｂ２の場合、ブラケット１８を用いるようにしたことで、第１のベッド装置Ｂ１のヘッドボード２とフットボード４を兼用することができる。つまり、ヘッドボード２とフットボード４を共通化できるから、生産や在庫管理などが容易となり、コストの低減を図ることができる。
【００４４】
図１０乃至図１２はこの発明の第２の実施の形態を示し、図１０と図１１はボックスタイプの第３のベッド装置Ｂ３である。つまり、ベッド本体２７の一部には一対の引き出し２８が出し入れ自在に設けられた箱体２９が用いられている。図１１に示すように、箱体２９はベッド本体２７のほぼ半分の幅寸法に形成されていて、この箱体２９の背面に設けられた受け桟５と側板３の内面に設けられた受け桟５とに床板６ａが架設される。それによって、上記箱体２９の上面と、上記床板６ａとで図１０に示すように厚さ寸法の薄い第１のマットレスＭ１を載置する載置面を形成している。
【００４５】
上記第３のベッド装置Ｂ３の場合、第１の実施の形態の第１のベッド装置Ｂ１とほぼ同じ高さ寸法の第１の側板３が用いられるが、ヘッドボード２Ａ及びフットボード４Ａは第３のベッド装置Ｂ３専用のものが用いられる。第３のベッド装置Ｂ３専用のヘッドボード２Ａ及びフットボード４Ａはその幅方向両端部に設けられた一対のナット１１の高さ位置が第１の実施の形態のヘッドボード２の場合よりも低い位置になる。
【００４６】
つまり、側板３Ａの高さ寸法は第１のベッド装置Ｂ１の第１の側板３と同じ高さ寸法であるが、箱体２９を用いることで、この箱体２９を箱体２９の上面板よりも低い位置でねじ３０によってヘッドボード２Ａ及びフットボード４Ａと連結しなければならない。
【００４７】
したがって、ナット１１の高さ位置が第１のベッド装置Ｂ１のヘッドボード２の場合に比べて低くなるから、連結金具８は図１２（ａ），（ｂ）に示すように一辺が第１の側板３の長手方向両端部の高さ方向中途部に連結固定される。
【００４８】
第３のベッド装置Ｂ３のヘッドボード２Ａ及びフットボード４Ａを利用して厚さ寸法の大きな第２のマットレスＭ２を使用する場合、図１３に示すように側板３Ａと箱体２９を、これらの高さ寸法に比べて低い第２の側板１６に交換する。第２の側板１６は第１のベッド装置Ｂ１に用いられるものと同じものである。
【００４９】
その場合、第１のベッド装置Ｂ１の場合と同様、図９（ａ）〜（ｃ）に示すブラケット１８を用いて側板１６の両端にヘッドボード２Ａとフットボード４Ａを連結する。つまり、ヘッドボード２Ａ及びフットボード４Ａに形成されたナット１１の高さ位置は、第１のベッド装置Ｂ１のヘッドボード２及びフットボード４に形成されたナット１１の高さ位置よりも低い位置にある。
【００５０】
そのため、ブラケット１８に形成された一対の第２の取付け孔２１ｂを利用して上記ブラケット１８の第１の側辺１９ｂを第２のおねじ２５によって上記ヘッドボード２Ａに取付け固定する。
【００５１】
それによって、図１３に示すように、上記ブラケット１８の第２の側辺１９ｃに設けられたナット２２の高さ位置を第１の取付け孔２１ａと第２の取付け孔２１ｂとの高さの差に応じて低い位置の第４のベッド装置Ｂ４にすることができるから、図１３に示すように第２の側板１６の一端と他端とに上記ブラケット１８の第２の側辺１９ｃを介してヘッドボード２Ａとフットボード４Ａを第３のおねじ２６によって連結することができる。
【００５２】
すなわち、この第２の実施の形態においても、厚さ寸法の異なる第１のマットレスＭ１或いは第２のマットレスＭ２のいずれを用いても、各マットレスＭ１、Ｍ２の上面の高さ位置を一定に維持して使用することができるばかりか、第３のベッド装置Ｂ３と第４のベッド装置Ｂ４において、ヘッドボード２Ａとフットボード４Ａを兼用することもできる。
【００５３】
図１４乃至図１８はこの発明の第３の実施の形態を示す。この実施の形態の第４のベッド装置Ｂ５は載置体３２を備えている。この載置体３２は平面形状が矩形状であって、四隅部には角筒状の脚部材３１が設けられている。載置体３２の長手方向一端には連結手段３３によってヘッドボード３４が垂直に連結されている。なお、載置体３２の上面には図示しないマットレスが載置される。
【００５４】
上記連結手段３３は第１のブラケット３５と第２のブラケット３６からなる。第１のブラケット３５は図１７（ａ）〜（ｃ）に示すように第１の側辺３７ａと、この第１の側辺３７ａよりも幅寸法が小さい第２の側辺３７ｂとによって断面Ｌ字状に形成されている。
【００５５】
上記第１の側辺３７ａには、上方から第１の取付け孔３８ａ、上下方向に所定間隔で離間した一対の第２の取付け孔３８ｂ、一対の第２の取付け孔３８ｂの間に位置する長孔からなる共通孔３８ｃ及び下方の第２の取付け孔３８ｂよりもさらに下方に位置する第３の取付け孔３８ｄが形成されている。第１の取付け孔３８ａ及び第３の取付け孔３８ｄはそれぞれ共通孔３８ｃと対をなしている。上記第１のブラケット３５の第２の側辺３７ｂには上下方向に所定間隔で一対のナット３９が設けられている。
【００５６】
上記ヘッドボード３４の幅方向両端部には、共通孔３８ｃとで対をなす第１、第３の取付け孔３８ａ，３８ｄ及び一対の第２の取付け孔３８ｂの間隔Ｇ（図１７（ａ）に示す）とほぼ同じ間隔で上下方向に離間した一対のナット４１（図１５に示す）がインサートされている。
【００５７】
上記ナット４１には第１のおねじ４０がねじ込まれる。この第１のおねじ４０は上記第１のブラケット３５の対をなす一対の取付け孔、たとえば一対の第２の取付け孔３８ｂに挿通されて上記ナット４１にねじ込まれる。それによって、第１のブラケット３５はヘッドボード３４の幅方向両端部に第２の取付け孔３８ｂの高さ位置に応じた高さで取り付けられる。
【００５８】
上記第２のブラケット３６は、図１８（ａ）〜（ｃ）に示すように第１の側辺４２ａ及びこの第１の側辺４２ａよりも幅寸法の狭い第２の側辺４２ｂによって断面形状がＬ字状に形成されている。この第２のブラケット３６の長さ寸法は上記第１のブラケット３５の第２の側辺３７ｂの高さ寸法よりもわずかに長く設定されている。また、各側辺４２ａ，４２ｂの上端には蓋部４３が折り曲げ形成されている。
【００５９】
上記第１の側辺４２ａには上下方向に所定間隔で離間した一対の第４の取付け孔４４が形成され、第２の側辺４２ｂには一対の連結孔４５が上記第１のブラケット３５の第２の側辺３７ｂに設けられた一対のナット３９と同じ間隔で形成されている。
【００６０】
一対の第４の取付け孔４４の間隔は、上記載置体３２の長手方向一端側に位置する一対の脚部材３１の一側面に上下方向に所定間隔で形成された一対の通孔４６（図１５に示す）と同じ間隔で形成されている。
【００６１】
図１５に示すように、上記第２のブラケット３６の一対の第４の取付け孔４４には第２のおねじ４７が挿通される。この第２のおねじ４７は上記脚部材３１の通孔４６に通され、脚部材３１内に突出した端部にはナット４８が螺合される。それによって、第２のブラケット３５の第１の側辺４２ａが脚部材３１に連結固定される。
【００６２】
ヘッドボード３４に第１の側辺３７ａが連結固定された第１のブラケット３５の第２の側辺３７ｂは、第１の側辺４２ａが脚部材３１に連結固定された第２のブラケット３６の第２の側辺４２ｂの内面に重合される。
【００６３】
そして、この重合部分の第２のブラケット３６の第２の側辺４２ｂの連結孔４５から第３のおねじ４９を挿通し、その第３のおねじ４９を第１のブラケット３５の第２の側辺３７ｂに設けられたナット３９に螺合することで、第１のブラケット３５と第２のブラケット３６が連結される。
【００６４】
つまり、載置体３２の長手方向一端側に位置する一対の脚部材３１に、ヘッドボード３４は一対の連結手段３３によって連結固定される。なお、一対の連結手段３３を構成する第１、第２のブラケット３５，３６はヘッドボード３４の幅方向一端側と他端側とで対称な形状に形成されている。それによって、図１６に示すように第１、第２のブラケット３５，３６のそれぞれの第２の側辺３７ｂ、４２ｂがヘッドボード３４の幅方向外方を向くことになる。
【００６５】
このような構成の第４のベッド装置Ｂ４によれば、載置体３２とヘッドボード３４は連結手段３３によって連結される。この連結手段３３は第１のブラケット３５と第２のブラケット３６からなる。そして、第１のブラケット３５のヘッドボード３４に連結される第１の側辺３７ａには、共通孔３８ｃとで対をなす第１、第３の取付け孔３８ａ，３８ｄ及びを一対の第２の取付け孔３８ｂがそれぞれ異なる高さ位置に形成されている。
【００６６】
そのため、載置体３２を異なる高さ寸法のものに変えても、第１のブラケット３５の第１の側辺３７ａの異なる高さ位置に形成されたそれぞれ対をなす第１乃至第３の取付け孔３８ａ〜３８ｄのいずれかに、ヘッドボード３４の幅方向両端部に設けられた一対のナット４１の高さが一致すれば、その取付け孔を利用して載置体３２とヘッドボード３４を連結手段３３を介して連結することができる。
【００６７】
すなわち、使用するマットレスの厚さ寸法が異なり、そのマットレスの上面の高さを一定にするために、異なる高さの載置体３２を用いるようにしても、その高さの載置体３２に連結手段３３によってヘッドボード３４を連結することができるから、異なる高さの載置体３２であってもヘッドボード３４を共用することができ、経済的である。
【００６８】
なお、第４のベッド装置Ｂ４の場合、第１のブラケット３５の第１の側辺３７ａには、異なる高さ位置に共通孔３８ｃを含めて３組の取付け孔３８ａ〜３８ｃが形成されているから、一対のナット４１が異なる高さ位置に設けられたヘッドボード３４であっても、そのナット４１の高さ位置が３組の取付け孔３８ａ〜３８ｃのいずれかの組の取付け孔に一致すれば、そのヘッドボード３４を載置体３２に第１、第２のブラケット３５,３６を介して連結することができる。
【図面の簡単な説明】
【００６９】
【図１】この発明の第１の実施の形態を示す第１のベッド装置の側面図。
【図２】ヘッドボードと第１の側板との連結部分の一部断面した拡大図。
【図３】ヘッドボードの左半分の正面図。
【図４】（ａ），（ｂ）は第１の側板の端部に設けられた連結金具を示す図。
【図５】第１のベッド装置よりも厚さ寸法の大きなマットレスを使用した第２のベッド装置の側面図。
【図６】ブラケットが設けられたヘッドボードの左半分の正面図。
【図７】第２のベッド装置のヘッドボードと第２の側板のブラケットを介しての連結された部分の一部断面した拡大図。
【図８】（ａ）、（ｂ）第２のベッド装置の第２の側板の端部に設けられた連結金具を示す図。
【図９】（ａ）〜（ｃ）はブラケットを示す図。
【図１０】この発明の第２の実施の形態を示すボックスタイプの第３のベッド装置の一部破断した側面図。
【図１１】図１０に示すボックスタイプの第３のベッド装置のベッド本体を断面した正面図。
【図１２】（ａ），（ｂ）は第３のベッド装置の第１の側板に設けられた連結金具を示す図。
【図１３】厚さ寸法の大きな第２のマットレスＭ２を使用した第４のベッド装置の側面図。
【図１４】この発明の第３の実施の形態を示す第５のベッド装置の側面図。
【図１５】第５のベッド装置の載置体とヘッドボードの連結部分を示す断面図。
【図１６】第５のベッド装置の載置体とヘッドボードの連結部分を一部鎖線で示す平面図。
【図１７】（ａ）〜（ｃ）は第４のベッド装置に用いられる第１のブラケットの図。
【図１８】（ａ）〜（ｃ）は第４のベッド装置に用いられる第２のブラケットの図。
【符号の説明】
【００７０】
１，１５，２７…ベッド本体、２，３４…ヘッドボード、３…第１の側板、４…フットボード、８…連結金具、１１…ナット、１２…第１のおねじ、１８…ブラケット、２５…第２のおねじ、２６…第３のおねじ、３１…脚部材、３２…載置体、３３…連結手段、３５…第１のブラケット、３６…第２のブラケット。
【図１】
2006334156.tif 000003
【図２】
2006334156.tif 000004
【図３】
2006334156.tif 000005
【図４】
2006334156.tif 000006
【図５】
2006334156.tif 000007
【図６】
2006334156.tif 000008
【図７】
2006334156.tif 000009
【図８】
2006334156.tif 000010
【図９】
2006334156.tif 000011
【図１０】
2006334156.tif 000012
【図１１】
2006334156.tif 000013
【図１２】
2006334156.tif 000014
【図１３】
2006334156.tif 000015
【図１４】
2006334156.tif 000016
【図１５】
2006334156.tif 000017
【図１６】
2006334156.tif 000018
【図１７】
2006334156.tif 000019
【図１８】
2006334156.tif 000020